(57)【要約】【課題】アプライアンスにおける操作インタフェースの表示方法及び洗濯機の制御方法。【解決手段】前記アプライアンスは、外部から選択され得る少なくとも２つの機能的インタフェースを含むマンマシンインタフェースを備え、前記方法は、各機能的インタフェースの使用頻度を記録するステップＳ１０と、マンマシンインタフェースを再起動するたびに、使用頻度の一番高い機能的インタフェースを優先的に表示させることができるように、マンマシンインタフェースの表示・配列態様を自動的に調整するステップＳ２０と、を含む。特に、該方法を洗濯機に適用すると、洗濯機のマイクロコントローラは、すべての機能的インタフェースの被選択・使用状況と洗濯データを収集してデータ記憶部に記憶し、これら記憶データを計算し、かつ、これら機能的インタフェースの被選択頻度を分析し、ユーザが再び洗濯機を使用すると、使用頻度の一番高い機能的インタフェースが優先的に表示される。ユーザによる洗濯モードの選択にかかる時間を節約し、操作が簡単である。【選択図】図１
2017527412.tif 000002
【特許請求の範囲】
【請求項１】
外部から選択され得る少なくとも２つの機能的インタフェースを含むマンマシンインタフェースを備え、
各機能的インタフェースの使用頻度を記録するステップＳ１０と、
前記マンマシンインタフェースを再起動するたびに、使用頻度の一番高い機能的インタフェースを優先的に表示させることができるように、マンマシンインタフェースの表示・配列態様を自動的に調整するステップＳ２０とを含むことを特徴とする、
アプライアンスにおける操作インタフェースの表示方法。
【請求項２】
前記優先的に表示させることは、使用頻度の一番高い機能的インタフェースをマンマシンインタフェースの起動インターフェースとして表示させることであることを特徴とする、
請求項１に記載のアプライアンスにおける操作インタフェースの表示方法。
【請求項３】
マンマシンインタフェースに同時に複数の前記機能的インタフェースが表示されると、前記優先的に表示させることは、使用頻度の一番高い機能的インタフェースをマンマシンインタフェースの起動インターフェースとして先頭に表示させ及び／又はハイライト表示させることであることを特徴とする、
請求項１に記載のアプライアンスにおける操作インタフェースの表示方法。
【請求項４】
マンマシンインタフェースに、使用頻度の降順に応じて複数の前記機能的インタフェースを表示させることを特徴とする、
請求項３に記載のアプライアンスにおける操作インタフェースの表示方法。
【請求項５】
機能的インタフェースにおいて実行パラメータの値を選択可能にし、各パラメータ値の使用頻度を統計し、該機能的インタフェースを表示するたびに、該実行パラメータのうち使用頻度の一番高いパラメータ値を優先的に表示させることをさらに含むことを特徴とする、
請求項１乃至４のいずれか１項に記載のアプライアンスにおける操作インタフェースの表示方法。
【請求項６】
請求項１乃至５のいずれか１項に記載のアプライアンスにおける操作インタフェースの表示方法を用い、前記機能的インタフェースは、洗い、すすぎ、脱水又は乾燥インタフェースのうちの１種又は複数種を備えることを特徴とする、
洗濯機の制御方法。
【請求項７】
前記パラメータは、時間、水位、及び／又は水温であることを特徴とする、
請求項６に記載の洗濯機の制御方法。
【発明の詳細な説明】
【技術分野】
【０００１】
本特許出願は、２０１４年０９月２３日に提出され、出願番号が２０１４１０４９１５６５．４であり、出願者が青島ハイアール洗濯機有限公司であり、発明名称が「アプライアンスにおける操作インタフェースの表示方法及び洗濯機の制御方法」である中国特許出願の優先権を主張し、該出願の全体が引用により本願に組み込まれる。
【０００２】
本発明は、アプライアンスのプログラム表示分野に関し、具体的には、アプライアンスにおける操作インタフェースの表示方法及び洗濯機の制御方法に関する。
【背景技術】
【０００３】
従来技術において、ほとんどの家電製品は表示インタフェースを固定にし、ユーザの好みに応じて洗濯モードを自動ソートすることができず、ユーザのよく用いられる洗濯モードと、あまり用いられない洗濯モードとが混在し、優先順位がつけられない。
【０００４】
特に、洗濯機では、衣類を洗濯する時に表示インタフェースが固定であり、ユーザの好みに応じて洗濯モードを自動ソートすることができず、ユーザのよく用いられる洗濯モードと、あまり用いられない洗濯モードとが混在し、優先順位がつけられなく、さらに洗濯機による洗濯モードの種類が多いため、洗濯モードの配置が更なる混乱になっている。また、従来の洗濯機では、セルフ・プログラミング・プログラムのデフォルト値が固定値であり、以前の洗濯データを収集してユーザの以前の洗濯データに応じてセルフ・プログラミング・プログラムのデフォルト値を変更することができない。
【０００５】
全自動洗濯機によってユーザが衣類を洗濯する時の操作手順として、まず電源プラグをコンセントに挿入し、次に洗濯しようとする衣類を洗濯槽に入れ、電源ボタンを押し、そして順に注水工程、洗い工程、すすぎ工程、排水工程及び脱水工程について設定し、あるいは、さらに乾燥工程について設定し、例えば、注水量、洗濯時間、洗濯強度、洗剤の添加量、すすぎ回数等の設定する必要がある項目が多い。このような設定プロセスが非常に煩雑であり、洗濯機の使用難度と工程選択にかかる時間が増えてしまう。これに加え、衣類の数量と汚れ程度の主観的判断に基づいてこれら工程を設定するしかできず、主観的判断が衣類の汚れ程度を正確に把握することができないため、エネルギー浪費をもたらしやすい。
【０００６】
以上説明したことにより、アプライアンスの使用難度が高くてモード選択の所要時間が長く、エネルギー浪費をもたらしやすいという従来技術に存在する問題を解決するために、新たなアプライアンスにおける操作インタフェースが備える表示方法が差し当たって必要である。
【発明の概要】
【発明が解決しようとする課題】
【０００７】
これに鑑み、本発明は、ユーザによる使用モードの選択にかかる時間を節約し、操作が簡単であり、エネルギー浪費を回避し、アプライアンスの使用難度を低下させるアプライアンスにおける操作インタフェースの表示方法を提供することを目的とする。
【０００８】
本発明のさらなる目的は、ユーザによる使用モードの選択にかかる時間を節約し、操作が簡単であり、エネルギー浪費を回避し、アプライアンスの使用難度を低下させる洗濯機の制御方法を提供することである。
【課題を解決するための手段】
【０００９】
本発明の実施例は、下記の技術的解決手段を用いる。
外部から選択され得る少なくとも２つの機能的インタフェースを含むマンマシンインタフェースを備え、
各機能的インタフェースの使用頻度を記録するステップＳ１０と、
前記マンマシンインタフェースを再起動するたびに、使用頻度の一番高い機能的インタフェースを優先的に表示させることができるように、マンマシンインタフェースの表示・配列態様を調整するステップＳ２０と、を含むアプライアンスにおける操作インタフェースの表示方法。
【００１０】
好ましくは、前記優先的に表示させることは、使用頻度の一番高い機能的インタフェースをマンマシンインタフェースの起動インターフェースとして表示させることである。
【００１１】
好ましくは、マンマシンインタフェースに同時に複数の前記機能的インタフェースが表示されると、前記優先的に表示させることは、使用頻度の一番高い機能的インタフェースをマンマシンインタフェースの起動インターフェースとして先頭に表示させ及び／又はハイライト表示させることである。
【００１２】
好ましくは、マンマシンインタフェースに、使用頻度の降順に応じて複数の前記機能的インタフェースを表示させる。
【００１３】
好ましくは、前記アプライアンスにおける操作インタフェースの表示方法は、さらに、機能的インタフェースにおいて実行パラメータの値を選択可能にし、各パラメータ値の使用頻度を統計し、該機能的インタフェースを表示するたびに該実行パラメータのうち使用頻度の一番高いパラメータ値を優先的に表示させることを含む。
【００１４】
上記のいずれかに記載のアプライアンスにおける操作インタフェースの表示方法を用い、前記機能的インタフェースが洗い、すすぎ、脱水又は乾燥インタフェースのうちの１種又は複数種である洗濯機の制御方法。
【００１５】
好ましくは、前記パラメータは、時間、水位、及び／又は水温である。
【発明の効果】
【００１６】
本発明の実施例による技術的解決手段は、以下の有益な技術的効果を有する。
【００１７】
（１）本発明によるアプライアンスにおける操作インタフェースの表示方法は、各機能的インタフェースの使用頻度を記録し、マンマシンインタフェースの表示・配列態様を調整することができるため、前記マンマシンインタフェースを再起動するたびに、使用頻度の一番高い機能的インタフェースを優先的に表示させることができる。特に、該方法を洗濯機に適用すると、洗濯機のマイクロコントローラは、すべての機能的インタフェースの被選択・使用状況と洗濯データを収集してデータ記憶部に記憶し、これらデータを計算し、かつ、これら機能的インタフェースの被選択頻度を分析し、ユーザが再び洗濯機を使用すると、使用頻度の一番高い機能的インタフェースが優先的に表示される。従って、ユーザによる洗濯モードの選択にかかる時間を節約し、操作が簡単であり、エネルギー浪費を回避した。
【００１８】
（２）本発明による方法を洗濯機に適用すると、さらに、機能的インタフェースにおいて具体的なパラメータ値（時間、水位及び／又は水温等）を選択し、各パラメータ値の使用頻度を統計することができ、そして該機能的インタフェースを表示するたびに、該実行パラメータのうち使用頻度の一番高いパラメータ値を優先的に表示する。これによって、該方法は、さらに、セルフ・プログラミング・プログラムが設定したパラメータ値を学習し、使用頻度の高いパラメータ値をデフォルト表示することができる。
【図面の簡単な説明】
【００１９】
本発明の実施例における技術的解決手段をより明確に説明するために、以下、本発明の実施例の説明において使用される図面を簡単に説明する。以下の説明における図面は、本発明の実施例の一部に過ぎず、当業者にとって、創造性を発揮しなくても、本発明の実施例の内容と図面に基づいて他の図面を取得することができることが明らかである。
【図１】本発明による洗濯機における操作インタフェース表示方法のフローチャートである。
【発明を実施するための形態】
【００２０】
本発明が解決しようとする課題、用いる手段、及び実現した技術的効果をより明確に説明するために、以下、図面を参照しながら本発明の実施例の技術的解決手段を更に詳しく説明する。説明する実施例が本発明の実施例の一部に過ぎず、すべての実施例ではないことが明らかである。当業者が本発明の実施例に基づいて創造性を発揮せずに取得した他の実施例は、いずれも本発明の保護範囲に属する。
【００２１】
本発明による操作インタフェース表示方法は、操作インタフェースを備えるすべてのアプライアンスに適用でき、前記アプライアンスは、中央処理装置と、データ記憶部と、外部から選択され得る少なくとも２つの機能的インタフェースを含むマンマシンインタフェースとを備え、各機能的インタフェースは、いずれも該機能的インタフェースに関連するとともに、選定することで到達できる少なくとも１つの下位インタフェースを備える。前記方法のプロセスは、図１に示すように、中央処理装置によって各機能的インタフェースの使用頻度を連続して記録するステップＳ１０と、前記マンマシンインタフェースを再起動するたびに、使用頻度の一番高い機能的インタフェースを優先的に表示させることができるように、マンマシンインタフェースの表示・配列態様を調整するステップＳ２０と、を含む。ここで、中央処理装置は、予め設定された期間における各機能的インタフェースの使用頻度を連続的に統計するため、毎回起動する前に統計された第１順位の機能的インタフェースが固定化しなく、隣接する前後２回の起動に表示された第１順位の機能的インタフェースが同一である可能性があり、異なる可能性もある。前記予め設定された期間が一週間、一ヶ月、四半期等であってもよく、具体的には実際の使用状況に基づいて設定される。
【００２２】
以下、洗濯機を例として、操作インタフェース表示方法を詳しく説明する。
【００２３】
洗濯機を使用する前に、今回の洗濯に所要の洗濯方式を決定するために、洗濯モードを選択する必要がある。洗濯モードは、注水工程、洗い工程、脱水工程、乾燥工程等の一連の工程を組み合せる洗濯モードと、乾燥工程及び脱水工程を含む洗濯モードと、乾燥工程又は脱水工程のみを含む洗濯モード等、複数種に分けられる。ここで、前記洗い工程は、さらに、複数種の洗いコースを備え、例えば、合成繊維コース、標準コース、ウールコース、柔らかコース又は木綿コース等である。家庭の日常洗濯の場合、汚れのひどい織物や厚手の織物、及び高価な織物や損傷しやすい織物以外、生地に基づいて分類せず、各種の織物を共に洗濯する。この場合、合成繊維コース又は標準コースを選択すべきである。夏季に、各種の汚れが軽くて薄い織物を洗濯する場合、ウールコース又は柔らかコースを選択すればよい。汚れのひどい織物や厚手の織物を洗濯する場合だけ、木綿コースを選択する必要がある。汚れのひどい毛糸製品を洗濯する場合、合成繊維コース又は標準コースを使用してもよい。
【００２４】
洗濯モードが機能的インタフェースとしてマンマシンインタフェースに表示される。合成繊維コース、標準コース、ウールコース、柔らかコース又は木綿コース等が前記機能的インタフェースに関連する下位インタフェースとしてマンマシンインタフェースに表示される。また、各下位インタフェースは、さらに、直接又は間接的に関連した１層又は複数層の次層の下位インタフェースを備える。
【００２５】
具体的な動作過程として、中央処理装置は、データ記憶部に記憶された過去の洗濯パラメータ値に基づき、予め設定された期間において各機能的インタフェースにおけるすべての下位インタフェースの使用頻度・回数を統計し、予め設定された期間において各機能的インタフェースにおける、これと関連したすべての下位インタフェースの使用頻度・回数を予め設定された期間における該機能的インタフェースの使用頻度とし、使用頻度の降順に応じてすべての機能的インタフェースをソートし、マンマシンインタフェースが再開されると、予め設定された期間において使用頻度の一番高い機能的インタフェースを優先的に表示させる。例えば、予め設定された期間において注水工程、洗い工程、脱水工程及び乾燥工程等の一連の工程を組み合わせた洗濯モードの使用頻度が一番高いと統計すれば、マンマシンインタフェースが再開されると、マンマシンインタフェースに該洗濯モードと対応する機能的インタフェースを優先的に表示させる。
【００２６】
従って、該方法を用いると、ユーザによる洗濯モードの選択にかかる時間を節約し、操作が簡単であり、エネルギー浪費を回避した。
【００２７】
本実施例において、さらなる好ましい態様として、予め設定された期間において使用頻度の降順に応じて、マンマシンインタフェースに複数の前記機能的インタフェースをソートして表示させる。具体的には、中央処理装置は、さらに、各機能的インタフェースをソートする。具体的には、予め設定された期間において、各機能的インタフェースにおけるすべての下位インタフェースの使用頻度・回数に応じて順に機能的インタフェースをソートする。予め設定された期間において、第Ｎ位の機能的インタフェースにおけるすべての下位インタフェースの使用頻度・回数に比べて、第Ｎ＋１位の機能的インタフェースにおけるすべての下位インタフェースの使用頻度・回数が高い。ここで、Ｎが１以上の整数である。
【００２８】
該方法を用いて、機能的インタフェースに対応する洗濯モードの使用頻度をより明確にソートし、これによって、ユーザが第１順位の機能的インタフェースに対応する洗濯モードを使用しようとしない場合、使用しようとする洗濯モードに対応する機能的インタフェースを容易に見つけることができ、ユーザによる洗濯モードの選択にかかる時間をさらに節約し、操作が簡単である。
【００２９】
各機能的インタフェースが少なくとも１層の下位インタフェースと関連するため、ある機能的インタフェースを開くと、該機能的インタフェースに複数の同一層の下位インタフェースが関連する可能性があり、該層の下位インタフェースを選択することに一定の時間がかかるため、下位インタフェースの表示順序をソートする必要がある。
【００３０】
本実施例において、以下の好ましい態様によって、下位インタフェースの表示順序をソートする。中央処理装置は、予め設定された期間において各機能的インタフェースにおけるすべての下位インタフェースの使用頻度を統計し、次回起動する時に、予め設定された期間において使用頻度の一番高い下位インタフェースを優先的に表示させる。例えば、予め設定された期間において標準コースの使用頻度が一番高いと統計すれば、次回起動する時に標準コースに対応する下位インタフェースを優先的に表示させる。対応する機能的インタフェースを開いて下位インタフェースに入ると、標準コースに対応する下位インタフェースを優先的に表示させる。
【００３１】
同様に、他の機能的インタフェースに関連する下位インタフェースを表示してソートする方法も、上記方法と同様である。
【００３２】
この好ましい態様は、各機能的インタフェースにおける各層の下位インタフェースを統計し、予め設定された期間において各機能的インタフェースにおける使用頻度の一番高い下位インタフェースを優先的に表示させ、ユーザによる下位インタフェースの選択をさらに容易にし、ユーザによる下位インタフェースの選択の難度を低減させ、下位インタフェースの選択にかかる時間を節約する。
【００３３】
機能的インタフェースの表示・ソートの過程と同様に、本発明は、さらに、各機能的インタフェースにおける各層の下位インタフェースをソートする。本実施例において、さらなる好ましい態様として、次回起動する時、予め設定された期間において各機能的インタフェースにおけるすべての下位インタフェースの使用頻度に応じて、順に下位インタフェースをソートする。また、予め設定された期間において、第Ｍ位の下位インタフェースの使用頻度に比べて、第Ｍ＋１位の下位インタフェースの使用頻度が高い。ここで、Ｍが１以上の整数である。例えば、予め設定された期間において、標準コースの使用頻度が一番高く、合成繊維コースの使用頻度が第２位、ウールコースの使用頻度が第３位、柔らかコース又は木綿コースの使用頻度が一番低いならば、次回起動した後、対応する機能的インタフェースを開くと、第１位に表示されたものが標準コースであり、第２位に表示されたものが合成繊維コースであり、第３位に表示されたものがウールコースであり、第４位、すなわち最後位に表示されたものが柔らかコース又は木綿コースである。
【００３４】
機能的インタフェースにおいて、実行パラメータの値を選択して各パラメータ値の使用頻度を統計することができ、該機能的インタフェースを表示するたびに、該実行パラメータのうち使用頻度の一番高いパラメータ値を優先的に表示させる。少なくとも一部の下位インタフェースに対応する洗濯工程がセルフ・プログラミング・プログラムであるため、中央処理装置は、さらに、予め設定された期間において各セルフ・プログラミング・プログラムにおける実行パラメータの使用頻度を統計し、予め設定された期間において各セルフ・プログラミング・プログラムにおける使用頻度の一番高い実行パラメータを第１位に配列する。実行パラメータは、一般的に、時間、水位、水質、洗濯水の温度、ユーザの使用習慣等の要素である。中央処理装置は、過去ユーザによる洗濯機の使用にかかる時間、水位、水質、水の温度、ユーザの使用習慣を収集・分析・統計し、これら要素に基づいてユーザが最も頻繁に使用した水流量、洗剤の添加量、洗濯時間、水位、水流速度等のパラメータを統計し、次回起動するたびに、これらパラメータを優先的にデフォルト表示させる。
【００３５】
本実施例において、好ましい態様として、前記優先的に表示させることは、使用頻度の一番高い機能的インタフェースをマンマシンインタフェースの起動インターフェースとして表示させることである。具体的には、中央処理装置は、機能的インタフェースのソートに対する統計を完成した後、次回起動する時に第１順位の機能的インタフェースを起動インタフェースとしてマンマシンインタフェースに表示させ、つまり次回起動する時に、第１順位の機能的インタフェースのみがマンマシンインタフェースに表示され、マンマシンインタフェースが後ろへスライドされると、第１位以降の機能的インタフェースを順にマンマシンインタフェースに表示させる。マンマシンインタフェースをスライドするごとに、マンマシンインタフェースに表示される機能的インタフェースが変化し、マンマシンインタフェースに一度に１つのみの機能的インタフェースが表示される。
【００３６】
例えば、起動したところ、マンマシンインタフェースには第１順位の機能的インタフェースが表示され、固定の方向へマンマシンインタフェースをスライドすると、マンマシンインタフェースには第２位の機能的インタフェースが表示され、固定の方向へマンマシンインタフェースを再びスライドすると、マンマシンインタフェースに第３位の機能的インタフェースが表示され、このように、あらゆる機能的インタフェースがマンマシンインタフェースに表示されるまで動作を続ける。
【００３７】
マンマシンインタフェースにおけるいずれかの機能的インタフェースをクリックすると、マンマシンインタフェースに該機能的インタフェースにおける第１順位の下位インタフェースが表示され、同様に、固定の方向へマンマシンインタフェースをスライドすると、マンマシンインタフェースに第２位の下位インタフェースが表示され、このように、あらゆる下位インタフェースがマンマシンインタフェースに表示されるまで動作を続ける。
【００３８】
本実施例において、マンマシンインタフェースに複数の前記機能的インタフェースが同時に表示されると、前記優先的に表示させることは、使用頻度の一番高い機能的インタフェースをマンマシンインタフェースの起動インターフェースとして先頭に表示させ及び／又はハイライト表示させることである。具体的に、前記方法は、マンマシンインタフェースを複数の領域に分割し、すべての機能的インタフェースが順序に応じて同時にマンマシンインタフェースにおける複数の領域に表示され、第１順位の機能的インタフェースをマンマシンインタフェースの起動インターフェースとして先頭に表示させ及び／又はハイライト表示させることを含む。
【００３９】
例えば、マンマシンインタフェースを複数の領域に分割し、標準コース、合成繊維コース、ウールコース、柔らかコース、木綿コースをこの順に配列し、標準コースを第１位に配列して木綿コースを最下位に配列すれば、標準コースをマンマシンインタフェースの起動インターフェースとして先頭に表示させ及び／又はハイライト表示させる。合成繊維コース、ウールコース、柔らかコース及び木綿コースも以上の順序に応じて表示インタフェースに表示され、且つ前から後へ表示される。
【００４０】
該方法を他のアプライアンスに適用する場合も、洗濯機に適用する場合と同様な原理であり、ここで詳細な説明を省略する。
【００４１】
ただし、上記のものは、本発明の好ましい実施例及び用いる技術原理である。当業者は、本発明が以上の特定の実施例に制限されず、本発明の保護範囲から逸脱しない範囲で様々な明らかな変形、再調整や置換を行うことができることを理解するであろう。従って、以上の実施例によって本発明を詳しく説明したが、本発明は以上の実施例に制限されず、本発明の発想から逸脱しない限り、更なる等価実施例を含むことができ、本発明の範囲が特許請求の範囲に決められる。
【図１】
2017527412.tif 000003
【国際調査報告】
2017527412.tif 000004
2017527412.tif 000005
2017527412.tif 000006
2017527412.tif 000007